(57)【要約】【課題】窓口の負担軽減と業務の効率化を実現すること。【解決手段】電子記帳機２０は、取引に関する入力を受け付けると（ｓ１）、案内番号を印字した案内番号札を発行し（ｓ２）、伝票項目の入力内容をデータ化した伝票データ、持参物の入力内容をデータ化した持参物データ、案内番号を関連付けて取引管理装置１０に登録する（ｓ３）。取引管理装置１０は、伝票データ及び持参物データに基づいて処理業務を特定し（ｓ４）、複数の処理業務について対応する複数の処理装置への顧客の誘導順序を決定する（ｓ５）。取引管理装置１０は、決定した誘導順序と、各処理装置の空き状況とを用いて誘導出力の制御を行う（ｓ６）。【選択図】図１
2020184161.tif 000002
【特許請求の範囲】
【請求項１】
来店した顧客を誘導する誘導システムであって、
来店した前記顧客のために処理すべき複数種類の処理業務を特定する処理業務特定手段と、
特定した複数種類の前記処理業務に対応する複数種類の処理装置へ前記顧客を誘導する順序を決定する順序決定手段と、
決定された前記順序に基づいて、前記顧客を前記処理装置へ誘導する出力を行う出力手段と
を有することを特徴とする誘導システム。
【請求項２】
前記処理業務特定手段は、前記顧客の保有する書類の種類に基づいて、前記処理業務の特定を行うことを特徴とする請求項１に記載の誘導システム。
【請求項３】
前記処理装置は、係員が配置された窓口に設置され、前記係員による操作を受け付ける窓口処理装置を含むことを特徴とする請求項１又は２に記載の誘導システム。
【請求項４】
前記順序決定手段は、前記顧客による操作が可能な処理装置への誘導順序を前記窓口処理装置の後に設定可能であることを特徴とする請求項３に記載の誘導システム。
【請求項５】
顧客に対して前記誘導に係る識別情報を付した識別券を発券する発券手段をさらに備え、
前記出力手段は、前記誘導に係る識別情報に基づいて出力を行うことを特徴とする請求項１乃至４に記載の誘導システム。
【請求項６】
前記顧客の誘導状況を表示出力する表示手段をさらに備えたことを特徴とする請求項１乃至５に記載の誘導システム。
【請求項７】
前記順序決定手段は、前記複数種類の処理装置による処理状況に応じて前記顧客を誘導する順序の再決定を行うことを特徴とする請求項１乃至６に記載の誘導システム。
【請求項８】
来店した顧客を誘導する誘導方法であって、
来店した前記顧客のために処理すべき複数種類の処理業務を特定する処理業務受付工程と、
特定した複数種類の前記処理業務に対応する複数種類の処理装置に前記顧客を誘導する順序を決定する順序決定工程と、
決定された前記順序に基づいて、前記顧客を前記処理装置へ誘導する出力を行う出力工程と
を有することを特徴とする誘導方法。
【発明の詳細な説明】
【技術分野】
【０００１】
本発明は、来店した顧客を誘導する誘導システム及び誘導方法に関する。
【背景技術】
【０００２】
従来、金融機関の店舗等では、窓口で係員が対応する取引と、現金自動預払機（ＡＴＭ：automatic teller machine）を顧客が操作して行う取引とが行われている。例えば、顧客の口座から現金を引き出す取引は、現金自動預払機で処理することができる。一方、小切手を現金化する取引は、窓口で行う必要がある。
【０００３】
そこで、来店した顧客が受付機に希望する取引を入力した場合に、受付番号の発行と、取引の種類に応じた誘導先（窓口又は現金自動預払機）の判定とを行い、誘導先に空きが生じたときに受付番号による呼び出しを行う顧客誘導システムが考えられている（例えば、特許文献１参照。）。
【０００４】
このように、現金自動預払機で処理可能な取引である場合には、顧客を現金自動預払機に誘導することで、窓口の負担を軽減し、業務の効率化を図ることができる。
【先行技術文献】
【特許文献】
【０００５】
【特許文献１】特開２０１２−０４８３９４号公報
【発明の概要】
【発明が解決しようとする課題】
【０００６】
しかしながら、従来の技術では、窓口の負担軽減と業務の効率化が不十分であるという問題点があった。現金自動預払機で処理可能な取引についても窓口で対応するケースが生じていたためである。
【０００７】
本発明は、上記従来技術の問題点を解消するためになされたものであって、窓口の負担軽減と業務の効率化を実現することを目的とする。
【課題を解決するための手段】
【０００８】
上述した課題を解決し、目的を達成するため、本発明は、来店した顧客を誘導する誘導システムであって、来店した前記顧客のために処理すべき複数種類の処理業務を特定する処理業務特定手段と、特定した複数種類の前記処理業務に対応する複数種類の処理装置へ前記顧客を誘導する順序を決定する順序決定手段と、決定された前記順序に基づいて、前記顧客を前記処理装置へ誘導する出力を行う出力手段とを有することを特徴とする。
【０００９】
また、本発明は、上記発明において、前記処理業務特定手段は、前記顧客の保有する書類の種類に基づいて、前記処理業務の特定を行うことを特徴とする。
【００１０】
また、本発明は、上記発明において、前記処理装置は、係員が配置された窓口に設置され、前記係員による操作を受け付ける窓口処理装置を含むことを特徴とする。
【００１１】
また、本発明は、上記発明において、前記順序決定手段は、前記顧客による操作が可能な処理装置への誘導順序を前記窓口処理装置の後に設定可能であることを特徴とする。
【００１２】
また、本発明は、上記発明において、顧客に対して前記誘導に係る識別情報を付した識別券を発券する発券手段をさらに備え、前記出力手段は、前記誘導に係る識別情報に基づいて出力を行うことを特徴とする。
【００１３】
また、本発明は、上記発明において、前記顧客の誘導状況を表示出力する表示手段をさらに備えたことを特徴とする。
【００１４】
また、本発明は、上記発明において、前記順序決定手段は、前記複数種類の処理装置による処理状況に応じて前記顧客を誘導する順序の再決定を行うことを特徴とする。
【００１５】
また、本発明は、来店した顧客を誘導する誘導方法であって、来店した前記顧客のために処理すべき複数種類の処理業務を特定する処理業務受付工程と、特定した複数種類の前記処理業務に対応する複数種類の処理装置に前記顧客を誘導する順序を決定する順序決定工程と、決定された前記順序に基づいて、前記顧客を前記処理装置へ誘導する出力を行う出力工程とを有することを特徴とする。
【発明の効果】
【００１６】
本発明によれば、窓口の負担軽減と業務の効率化を実現することができる。
【図面の簡単な説明】
【００１７】
【図１】図１は、誘導システムの概念を説明するための説明図である。
【図２】図２は、誘導システムの構成を示すシステム構成図である。
【図３】図３は、図１に示した電子記帳機の機能構成を示す機能ブロック図である。
【図４】図４は、図１に示した取引管理装置の機能構成を示す機能ブロック図である。
【図５】図５は、電子記帳機の処理手順を示すフローチャートである。
【図６】図６は、取引管理装置の処理手順を示すフローチャートである。
【図７】図７は、振込処理の誘導先の具体例についての説明図である。
【図８】図８は、伝票の入力画面の説明図である。
【図９】図９は、持参物の入力画面の説明図である。
【発明を実施するための形態】
【００１８】
以下、添付図面を参照して、実施の形態に係る誘導システム及び誘導方法を説明する。
【００１９】
図１は、誘導システムの概念を説明するための説明図である。図１に示した誘導システムは、金融機関の店舗に取引管理装置１０、電子記帳機２０、窓口処理装置３０、現金自動預払機４０、ロビー入金機５０及び税公金処理機６０を備えている。
【００２０】
金融機関の店舗等では、窓口で係員が対応する取引と、現金自動預払機４０等を顧客が操作して行う取引とが行われている。従来、顧客が複数の取引を希望し、窓口で対応する取引と現金自動預払機４０等で処理可能な取引とが混在する場合には、顧客を窓口に案内し、現金自動預払機４０等で処理可能な取引についても窓口で対応を行っていた。また、記入済伝票などの持参物によっては現金自動預払機４０等で処理できず、窓口で対応することになるため、現金自動預払機で処理できるか不明なときにも窓口に誘導していた。このように、現金自動預払機で処理可能な取引についても窓口で対応するケースが生じると、窓口の負担軽減と業務の効率化が不十分となる。
【００２１】
そこで、本実施の形態では、複数種類の取引や顧客の持参物を考慮して誘導を行うことで、窓口の負担軽減と業務の効率化を実現している。具体的には、本実施の形態に係る誘導システムにおいて、金融機関の店舗を訪れた顧客は、まず電子記帳機２０を操作し、希望する取引に関する入力を行う（ｓ１）。このとき、顧客は、希望する取引の種類を選択し、選択した取引について伝票の項目を入力するとともに、持参した物（現金、記入済伝票、税公金支払用紙など）についての情報を入力する。また、顧客は複数の取引について入力を行うことができる。
【００２２】
電子記帳機２０は、取引に関する入力を受け付けると、案内番号を印字した案内番号札を発行する（ｓ２）。案内番号は、顧客の誘導に係る識別情報であり、案内番号札は案内番号を付した識別券である。
【００２３】
電子記帳機２０は、伝票項目の入力内容をデータ化した伝票データ、持参物の入力内容をデータ化した持参物データ、案内番号を関連付けて取引管理装置１０に登録する（ｓ３）。
【００２４】
取引管理装置１０は、登録を受け付けると、伝票データ及び持参物データに基づいて処理業務を特定する（ｓ４）。ここで、顧客が複数の取引を指定している場合には、処理業務は複数になる。また、顧客が１つの要望として入力していても、処理業務が複数となる場合もある。
【００２５】
例えば、顧客の要望が「現金で税公金を支払う」である場合に、顧客が現金を持参していれば、処理業務は「税公金の支払い」の１つである。一方、顧客の要望が「現金で税公金を支払う」である場合に、顧客が現金を持参していなければ、税公金の支払いに用いる現金を顧客の口座から出金する必要が生じ、処理業務は「出金」と「税公金の支払い」の２つとなる。
【００２６】
このように、顧客の要望を示す伝票データと、顧客の持参物を示す持参物データとを用いることで、取引管理装置１０は、複数の処理業務を特定することができる。取引管理装置１０は、複数の処理業務について、対応する複数の処理装置への顧客の誘導順序を決定する（ｓ５）。
【００２７】
処理装置には、窓口処理装置３０、現金自動預払機４０、ロビー入金機５０及び税公金処理機６０が含まれる。窓口処理装置３０は、窓口に設置される処理装置であり、窓口での対応を行う係員による操作を受け付ける。窓口での対応が必要な処理業務については、この窓口処理装置３０が誘導先となる。
【００２８】
現金自動預払機４０は、顧客による操作が可能な処理装置であり、顧客の口座への入金である預入れ、顧客の口座からの出金である引出し、指定した口座への振込みなどが可能である。
【００２９】
ロビー入金機５０は、顧客による操作が可能な処理装置であり、現金自動預払機４０の上限を超える枚数の入金を受け付けることができる。税公金処理機６０は、顧客による操作が可能な処理装置であり、税公金支払用紙と現金を受け付けて、税公金の支払いを行うことができる。
【００３０】
図１では、「現金で税公金を支払う」場合の誘導順序を示している。顧客が現金を持参していれば、取引管理装置１０は、順序Ｒ１に示すように、税公金処理機６０に誘導する。すなわち、この場合には窓口での対応が不要であり、税公金処理機６０のみで処理が完了する。
【００３１】
顧客が現金を持参していなければ、取引管理装置１０は、順序Ｒ２に示すように、まず窓口処理装置３０に誘導し、窓口で出金を行った後、税公金処理機６０に誘導する。すなわち、この場合には窓口での対応と、税公金処理機６０での処理を順次行うことになる。なお、ここでは窓口処理装置３０で出金を行っているが、現金自動預払機４０で出金した後、税公金処理機６０に誘導することも可能である。
【００３２】
取引管理装置１０は、決定した誘導順序と、各処理装置の空き状況とを用いて誘導出力の制御を行う（ｓ６）。具体的には、次の誘導先の処理装置の空き状況を監視し、空きとなった場合に案内番号を指定して呼び出しを行う。呼び出しの出力は、表示や音を用いることができる。また、呼び出しの出力を行う装置は、各処理装置であってもよいし、別途設けてもよい。なお、複数の顧客が順番待ちをしている状態で、処理装置に空きはできたならば、先着順を基本として呼び出しを行うことになる。
【００３３】
このように、金融機関の店舗に来店した顧客について、処理すべき複数種類の処理業務を特定し、特定した複数種類の処理業務に対応する複数種類の処理装置へ顧客を誘導する順序を決定し、決定した順序に基づいて顧客を誘導する出力を行うことで、窓口の負担軽減し、業務を効率化することができる。
【００３４】
次に、誘導システムの構成について説明する。図２は、誘導システムの構成を示すシステム構成図である。図２に示したように、取引管理装置１０、電子記帳機２０、窓口処理装置３０、現金自動預払機４０、ロビー入金機５０及び税公金処理機６０は、金融機関店舗内で用いられる店舗用ネットワークに接続される。
【００３５】
さらに、窓口処理装置３０及び現金自動預払機４０は、勘定系ネットワークにも接続され、勘定系ホストコンピュータ７０と通信可能である。このため、窓口処理装置３０及び現金自動預払機４０は、顧客の口座残高の参照や更新が可能である。
【００３６】
図３は、図１に示した電子記帳機２０の機能構成を示す機能ブロック図である。図３に示すように、電子記帳機２０は、表示操作部２１、カードリーダ２２、プリンタ２３、通信部２４、記憶部２５及び制御部２６を有する。
【００３７】
表示操作部２１は、液晶タッチパネルディスプレイなどであり、取引内容の入力受付や、案内の出力などに用いられる。カードリーダ２２は、顧客のキャッシュカードを受け付けてカードＩＤを読み取ることができる。プリンタ２３は、案内番号札の印刷出力などに用いられる。通信部２４は、取引管理装置１０などとの通信を行う通信インタフェースである。
【００３８】
記憶部２５は、ハードディスク装置等の記憶デバイスである。記憶部２５は、伝票データや持参物データの一時記憶に用いることができる。また、電子記帳機２０の動作履歴を記憶部２５に格納することも可能である。
【００３９】
制御部２６は、電子記帳機２０を全体制御する制御部であり、取引内容受付部２６ａ、データ生成部２６ｂ、案内番号発行部２６ｃ及び登録処理部２６ｄを有する。実際には、これらの機能部に対応するプログラムを図示しないＲＯＭや不揮発性メモリに記憶しておき、これらのプログラムをＣＰＵにロードして実行することにより、取引内容受付部２６ａ、データ生成部２６ｂ、案内番号発行部２６ｃ及び登録処理部２６ｄにそれぞれ対応するプロセスを実行させることになる。
【００４０】
取引内容受付部２６ａは、顧客が表示操作部２１を操作して入力した取引内容を受け付ける処理部である。具体的には、希望する取引の種類の選択、選択した取引についての伝票の各項目、持参した物（現金、記入済伝票、税公金支払用紙など）についての情報を受け付けることになる。また、複数の取引について入力を受け付けることも可能である。
【００４１】
データ生成部２６ｂは、伝票項目の入力内容をデータ化して伝票データを生成し、持参物の入力内容をデータ化して持参物データを生成する処理を行う。
【００４２】
案内番号発行部２６ｃは、顧客の誘導に係る識別情報である案内番号を生成し、案内番号をプリンタ２３に印字させることで案内番号札を発行する。この案内番号札は案内番号を付した識別券であり、顧客の呼び出しに用いられる。
【００４３】
登録処理部２６ｄは、伝票データ、持参物データ、案内番号を関連付けて取引管理装置１０に送信することで、取引を登録する処理を行う。
【００４４】
図４は、図１に示した取引管理装置１０の機能構成を示す機能ブロック図である。図４に示すように、取引管理装置１０は、表示部１１、入力部１２、通信部１３、記憶部１４及び制御部１５を有する。
【００４５】
表示部１１は、液晶ディスプレイなどの表示デバイスである。入力部１２は、キーボードやマウスなどの入力デバイスである。通信部１３は、電子記帳機２０、窓口処理装置３０、現金自動預払機４０、ロビー入金機５０及び税公金処理機６０との通信を行う通信インタフェースである。
【００４６】
記憶部１４は、ハードディスク装置等の記憶デバイスである。記憶部１４は、取引の管理を行う取引管理データ１４ａを格納する。取引管理装置１０の動作履歴を格納することも可能である。
【００４７】
制御部１５は、取引管理装置１０を全体制御する制御部であり、処理業務特定部１５ａ、誘導順序決定部１５ｂ、誘導出力制御部１５ｃ及び参照出力制御部１５ｄを有する。実際には、これらの機能部に対応するプログラムを図示しないＲＯＭや不揮発性メモリに記憶しておき、これらのプログラムをＣＰＵ（Central Processing Unit）にロードして実行することにより、処理業務特定部１５ａ、誘導順序決定部１５ｂ、誘導出力制御部１５ｃ及び参照出力制御部１５ｄにそれぞれ対応するプロセスを実行させることになる。
【００４８】
処理業務特定部１５ａは、電子記帳機２０から伝票データ、持参物データ及び案内番号を受け付けると、伝票データ及び持参物データに基づいて処理業務を特定する。顧客が複数の取引を指定している場合には、処理業務は複数になる。また、顧客が１つの要望として入力していても、処理業務が複数となる場合もある。
【００４９】
誘導順序決定部１５ｂは、処理業務特定部１５ａによって特定された複数の処理業務について、対応する複数の処理装置への顧客の誘導順序を決定する。複数の処理業務に関係性がある場合には、関係性に基づいて誘導順序を決定する。例えば、出金した貨幣を税公金の支払いに用いる場合には、出金が先、税公金の支払いが後になる。複数の処理業務に関係性がない場合には、取引の種類の組み合わせによって誘導順序を定めてもよいし、各処理装置の空き状況に基づいて誘導順序を定めてもよい。
【００５０】
誘導順序決定部１５ｂは、処理業務、誘導順序、案内番号を関連付けて取引管理データ１４ａに格納する。
【００５１】
誘導出力制御部１５ｃは、決定した誘導順序と、各処理装置の空き状況とを用いて誘導出力の制御を行う。具体的には、次の誘導先の処理装置の空き状況を監視し、空きとなった場合に案内番号を指定し、呼び出しの出力を行う装置に出力指示を送信する。呼び出しの出力を行う装置は、各処理装置であってもよいし、別途設けてもよい。複数の顧客が順番待ちをしている状態で、処理装置に空きはできたならば、誘導出力制御部１５ｃは、先着順を基本として呼び出しを行う。
【００５２】
誘導出力制御部１５ｃは、呼び出し後の処理装置の動作を取得し、完了した処理業務に完了フラグを付して取引管理データ１４ａを更新する。そして、完了フラグを付した処理業務の次の誘導先について誘導出力を行う。
【００５３】
参照出力制御部１５ｄは、取引管理データ１４ａの参照要求を受け付けて、取引管理データ１４ａを出力する処理部である。具体的には、参照出力制御部１５ｄは、取引管理データ１４ａによって示される顧客の誘導状況を表示部１１に表示することができる。また、他の装置から参照要求を受け付けて、取引管理データ１４ａを要求元の装置に送信することも可能である。
【００５４】
図５は、電子記帳機２０の処理手順を示すフローチャートである。まず、電子記帳機２０の取引内容受付部２６ａは、顧客から取引内容の入力を受け付ける（ステップＳ１０１）。データ生成部２６ｂは、伝票項目の入力内容をデータ化して伝票データを生成し、持参物の入力内容をデータ化して持参物データを生成する（ステップＳ１０２）。
【００５５】
案内番号発行部２６ｃは、顧客の誘導に係る識別情報である案内番号を生成し、案内番号をプリンタ２３に印字させることで案内番号札を発行する（ステップＳ１０３）。そして、登録処理部２６ｄが、伝票データ、持参物データ、案内番号を関連付けて取引管理装置１０に送信することで、取引を登録し（ステップＳ１０４）、処理を終了する。
【００５６】
図６は、取引管理装置１０の処理手順を示すフローチャートである。取引管理装置１０の処理業務特定部１５ａは、電子記帳機２０から伝票データ、持参物データ及び案内番号の登録を受け付け（ステップＳ２０１）、伝票データ及び持参物データに基づいて処理業務を特定する（ステップＳ２０２）。
【００５７】
誘導順序決定部１５ｂは、処理業務特定部１５ａによって特定された複数の処理業務について、対応する複数の処理装置への顧客の誘導順序を決定し（ステップＳ２０３）、処理業務、誘導順序、案内番号を関連付けて取引管理データ１４ａに格納する（ステップＳ２０４）。
【００５８】
誘導出力制御部１５ｃは、決定した誘導順序と、各処理装置の空き状況とを用いて次の誘導先に誘導可能であるか否かを判定する（ステップＳ２０５）。次の誘導先に誘導可能でなければ（ステップＳ２０５；Ｎｏ）、ステップＳ２０５を繰り返して待機する。
【００５９】
次の誘導先に誘導可能となったなら（ステップＳ２０５；Ｙｅｓ）、誘導出力制御部１５ｃは、案内番号を指定し、呼び出しの出力を行う装置に出力指示を送信することで誘導出力を制御する（ステップＳ２０６）。誘導出力制御部１５ｃは、呼び出し後の処理装置の動作を取得し、完了した処理業務に完了フラグを付して取引管理データ１４ａを更新する（ステップＳ２０７）。そして、１つの案内番号に関連付けられた複数の処理業務の全てが誘導済であるか否かを判定する（ステップＳ２０８）。誘導済でない処理業務が残っているならば（ステップＳ２０８；Ｎｏ）、ステップＳ２０５に移行し、次の誘導先に誘導可能であるかを判定する。全て処理業務が誘導済となったならば（ステップＳ２０８；Ｙｅｓ）、１つの案内番号についての処理を終了する。
【００６０】
次に、誘導先の制御の具体例について説明する。図７は、振込処理の誘導先の具体例についての説明図である。図７に示したように、顧客が振込処理を希望し、小切手も現金も持参していないならば、振替、すなわち口座から口座への送金により振込を行う。
【００６１】
小切手がなく、現金を持参しており、現金が１００枚未満であれば、現金自動預払機４０が誘導先となる。また、小切手がなく、現金を持参しており、現金が１００枚以上であれば、ロビー入金機５０が誘導先となる。小切手を持参しており、現金がない場合、窓口処理装置３０が誘導先となる。
【００６２】
小切手と１００枚未満の現金を持参している場合には、まず、現金自動預払機４０に誘導し、現金自動預払機４０に案内番号を入力させた上で持参した現金の入金を受け付けるる。現金自動預払機４０は、案内番号と入金額を関連付けて取引管理装置１０に送信し、取引管理装置１０は、入金の処理業務を完了として取引管理データ１４ａを更新する。そして、取引管理装置１０は、次の誘導先である窓口処理装置３０に誘導し、現金自動預払機４０での入金分と小切手分の振込を行わせる。
【００６３】
小切手と１００枚以上の現金を持参している場合には、まず、ロビー入金機５０に誘導し、ロビー入金機５０に案内番号を入力させた上で持参した現金の入金を受け付けるる。ロビー入金機５０は、案内番号と入金額を関連付けて取引管理装置１０に送信し、取引管理装置１０は、入金の処理業務を完了として取引管理データ１４ａを更新する。そして、取引管理装置１０は、次の誘導先である窓口処理装置３０に誘導し、ロビー入金機５０での入金分と小切手分の振込を行わせる。
【００６４】
図８は、伝票の入力画面の説明図である。図８に示すように電子記帳機２０は、まず伝票入力画面Ｇ１ａで取引の種類を選択させる。図８では、「ご用件を選択してください」及び「現在のお待ち人数１４人」のメッセージと、４つの種類選択ボタン（「お預入れ」、「お引出し」、「お振込み」、「税金・公共料金」）を表示している。
【００６５】
伝票入力画面Ｇ１ａで「お振込み」が選択されたならば、電子記帳機２０は、伝票入力画面Ｇ１ｂで伝票項目を入力させる。図８では、「お振込みの内容を入力してください」のメッセージと、金額、お受取人、ご依頼人などの項目を表示している。
【００６６】
図９は、持参物の入力画面の説明図である。図９に示すように電子記帳機２０は、持参物入力画面Ｇ２ａで持参物の種類を選択させる。図９では、「ご持参の内容を入力してください（複数選択が可能です）」のメッセージと、４つの持参物ボタン（「現金」、「小切手」、「手形」、「その他」）を表示している。
【００６７】
持参物入力画面Ｇ２ａで「現金」が選択されたならば、電子記帳機２０は、持参物入力画面Ｇ２ｂで持参物の詳細を入力させる。図９では、紙幣と硬貨のそれぞれについて「１００未満」、「１００枚以上」、「不明」のいずれかのボタンを選択可能となっている。
【００６８】
上述してきたように、本実施形態によれば、金融機関の店舗に来店した顧客について、処理すべき複数種類の処理業務を特定し、特定した複数種類の処理業務に対応する複数種類の処理装置へ顧客を誘導する順序を決定し、決定した順序に基づいて顧客を誘導する出力を行うことで、窓口の負担軽減し、業務を効率化することができる。
【００６９】
また、処理業務の特定は、顧客の保有する書類の種類に基づいて行うことができる。また、処理装置には、係員が配置された窓口に設置され、係員による操作を受け付ける窓口処理装置が含まれる。そして、顧客による操作が可能な処理装置への誘導順序を窓口処理装置の後に設定可能である。
【００７０】
また、本実施形態によれば、顧客に対し、誘導に係る識別情報を付した識別券である案内番号札を発券して、誘導に係る識別情報に基づいて誘導を行うことができる。
【００７１】
また、顧客の誘導状況は取引管理装置１０によって管理され、適宜表示することができる。また、複数種類の処理装置による処理状況に応じて顧客を誘導する順序の再決定を行うことができる。例えば、受付時点では窓口処理装置３０の後に現金自動預払機４０に誘導するとの順序を決定したとしても、その後、窓口が混み、現金自動預払機４０が空いたならば、順序を変更して先に現金自動預払機４０に誘導することができる。
【００７２】
なお、本実施形態で図示した各構成は機能概略的なものであり、必ずしも物理的に図示の構成をされていることを要しない。すなわち、各装置の分散・統合の形態は図示のものに限られず、その全部又は一部を各種の負荷や使用状況などに応じて、任意の単位で機能的又は物理的に分散・統合して構成することができる。
【００７３】
例えば、本実施形態では説明を簡明にするために、電子記帳機２０、窓口処理装置３０、現金自動預払機４０、ロビー入金機５０及び税公金処理機６０を各１台例示したが、これらの装置は複数設置することができる。
【産業上の利用可能性】
【００７４】
本発明の誘導システム及び誘導方法は、窓口の負担軽減と業務の効率化に有用である。
【符号の説明】
【００７５】
１０  取引管理装置
１１  表示部
１２  入力部
１３、２４  通信部
１４、２５  記憶部
１５、２６  制御部
１５ａ  処理業務特定部
１５ｂ  誘導順序決定部
１５ｃ  誘導出力制御部
１５ｄ  参照出力制御部
２０  電子記帳機
２１  表示操作部
２２  カードリーダ
２３  プリンタ
２６ａ  取引内容受付部
２６ｂ  データ生成部
２６ｃ  案内番号発行部
２６ｄ  登録処理部
３０  窓口処理装置
４０  現金自動預払機
５０  ロビー入金機
６０  税公金処理機
７０  勘定系ホストコンピュータ
【図１】
2020184161.tif 000003
【図２】
2020184161.tif 000004
【図３】
2020184161.tif 000005
【図４】
2020184161.tif 000006
【図５】
2020184161.tif 000007
【図６】
2020184161.tif 000008
【図７】
2020184161.tif 000009
【図８】
2020184161.tif 000010
【図９】
2020184161.tif 000011